(57)【要約】【課題】  農作業機の機体下部に畑に植えた農作物に土を被せて畝を形成する覆土ディスクを回転自在に設けた農作業機において、覆土ディスクが、高さ・前後位置・平面視における傾き角度・正面視における傾き角度の４方向に調整できるようにする。【解決手段】  覆土ディスク２を下端に軸支した支持ロッド３に固定ボルト４ｂ付きのロッド取付具４を摺動且つ回転可能に取り付け、農作業機の機体の前後に伸びる取付フレーム１ａに固定ボルト５ｂ付きのフレーム取付具５を摺動可能に取り付け、そのフレーム取付具５にロッド取付具４を正面視で垂直を含む所定の左右傾斜角に傾動可能に取り付ける。【選択図】  図７
2014042486.tif 000002
【特許請求の範囲】
【請求項１】
農作業機の機体下部に畑に植えた農作物に土を被せて畝を形成する覆土ディスクを回転自在に設けた農作業機であって、覆土ディスクを下端に軸支した支持ロッドに止め具付きのロッド取付具を摺動且つ回転可能に取り付け、機体の前後に伸びる取付フレームに止め具付きのフレーム取付具を摺動可能に取り付け、そのフレーム取付具にロッド取付具を正面視で垂直を含む所定の左右傾斜角に傾動可能に取り付けたことを特徴とする、農作業機の覆土ディスク取り付け構造。
【請求項２】
フレーム取付具に長孔と円孔を上下に形成し、ロッド取付具に円孔を上下に形成し、そのロッド取付具とフレーム取付具の上下の長孔及び円孔にボルトをそれぞれ連通して螺合し、ロッド取付具を下側のボルトを支点にして長孔に沿って傾動できるようにした、請求項１記載の農作業機の覆土ディスク取り付け構造。
【発明の詳細な説明】
【技術分野】
【０００１】
本発明は、畑に植えた農作物に土を被せて畝を形成する覆土ディスクを備えた植付機等の農作業機に関し、詳しくは、覆土ディスクの位置や角度を調整する技術に関する。
【背景技術】
【０００２】
従来の覆土ディスクは、支持ロッドの下端に回転自在に設けられ、その支持ロッドを機体に備えた上下方向の差込穴に挿入した構造が一般的である。この支持ロッドを上下に動かして覆土ディスクの高さを調整したり、支持ロッドを軸として回転させて覆土ディスクの角度（平面から見て略ハの字状に傾いた角度）を調整している（例えば特許文献１参照）。
【０００３】
ところで、覆土ディスクは、覆土量が適切となるように土質や湿度の具合に応じて位置や角度が調整されるものであるが、前記技術のような従来の覆土ディスクは２方向の調整に限られていたから、調整範囲が狭く、適切な覆土量調整ができないことがあった。
【先行技術文献】
【特許文献】
【０００４】
【特許文献１】特開２００１−２８９０９号公報
【発明の概要】
【発明が解決しようとする課題】
【０００５】
本発明が解決しようとする課題は、従来のこれらの問題点を解消し、覆土ディスクの高さ・前後位置・平面視における傾き角度・正面視における傾き角度の４方向の調整ができるようにすることにある。
【課題を解決するための手段】
【０００６】
かかる課題を解決した本発明の構成は、
１）  農作業機の機体下部に畑に植えた農作物に土を被せて畝を形成する覆土ディスクを回転自在に設けた農作業機であって、覆土ディスクを下端に軸支した支持ロッドに止め具付きのロッド取付具を摺動且つ回転可能に取り付け、機体の前後に伸びる取付フレームに止め具付きのフレーム取付具を摺動可能に取り付け、そのフレーム取付具にロッド取付具を正面視で垂直を含む所定の左右傾斜角に傾動可能に取り付けたことを特徴とする、農作業機の覆土ディスク取り付け構造
２）  フレーム取付具に長孔と円孔を上下に形成し、ロッド取付具に円孔を上下に形成し、そのロッド取付具とフレーム取付具の上下の長孔及び円孔にボルトをそれぞれ連通して螺合し、ロッド取付具を下側のボルトを支点にして長孔に沿って傾動できるようにした、前記１）記載の農作業機の覆土ディスク取り付け構造
にある。
【発明の効果】
【０００７】
本発明によれば、覆土ディスクの高さの調整は、支持ロッドをロッド取付具に対して上下方向に動かす。覆土ディスクの前後位置の調整は、フレーム取付具を取付フレームに対して前後方向に動かす。覆土ディスクの平面視における傾き角度の調整は、支持ロッドを軸として回転させる。覆土ディスクの正面視における傾き角度の調整は、ロッド取付具をフレーム取付具に対して傾ける。このように、４方向の調整が可能となり、土質や湿度等の様々な諸条件に応じて適切な覆土量を調整できるようになる。
【図面の簡単な説明】
【０００８】
【図１】実施例の農作業機の側面図である。
【図２】実施例の取付部材のロッド取付具とフレーム取付具の一部切欠き説明図である。
【図３】実施例のロッド取付具とフレーム取付具を組み合わせた状態を示す側面図である。
【図４】実施例の覆土ディスクの高さの調整を示す説明図である。
【図５】実施例の覆土ディスクの前後位置の調整を示す説明図である。
【図６】実施例の覆土ディスクの平面視における傾き角度の調整を示す説明図である。
【図７】実施例の覆土ディスクの正面視における傾き角度の調整を示す説明図である。
【発明を実施するための形態】
【０００９】
以下、本発明を実施するための形態を実施例と図面に基づいて具体的に説明する。
【実施例】
【００１０】
図１に示すように、農作業機１は作溝・植え付け・覆土・培土を一工程で行う芋植付機であって、前後に伸びる断面六角状の左右一対の取付フレーム１ａと、種芋を貯える種芋ホッパー１ｂと、その種芋ホッパー１ｂ内の種芋を前方へ送り出す種芋搬送コンベヤ１ｃと、その種芋搬送コンベヤ１ｃで送り出された種芋を畑に落下させる種芋供給管１ｄと、その種芋供給管１ｄから落下した種芋を植える溝を形成するための作溝器１ｅで構成されている。符号１ｆは原動機である。
【００１１】
覆土ディスク２は、支持ロッド３の下端に回転自在に軸支され、ロッド取付具４とフレーム取付具５で農作業機１の左右の取付フレーム１ａに対称に取り付けられている。
【００１２】
ロッド取付具４は、支持ロッド３を上下方向に挿入するための断面円状の筒体４ａと、その筒体４ａに挿入した支持ロッド３を任意の位置で固定するための固定ボルト４ｂ（止め具）と、筒体４ａの側面に形成した円孔付きの張出片４ｃと、その張出片４ｃの上下の円孔に合せて溶接したナット４ｄで構成されている。
【００１３】
フレーム取付具５は、取付フレーム１ａを前後方向に挿入するための断面六角状の筒体５ａと、取付フレーム１ａを挿入した筒体５ａを任意の位置で固定するための固定ボルト５ｂ（止め具）と、筒体５ａに形成した支持板５ｃと、その支持板５ｃの上下に形成した長孔５ｄ及び円孔５ｅと、ロッド取付具４をフレーム取付具５に対して所定角度で固定するための角度調整ボルト５ｆと、ロッド取付具４を所定角度に動かす際に支点となる支点ボルト５ｇで構成されている。
【００１４】
そのフレーム取付具５を農作業機１の取付フレーム１ａに挿入して固定ボルト５ｂで固定し、ロッド取付具４の筒体４ａに支持ロッド３を挿入して固定ボルト４ｂで固定する。そして、ロッド取付具４の張出片４ｃをフレーム取付具５の支持板５ｃに重ね、角度調整ボルト５ｆと支点ボルト５ｇをフレーム取付具５の長孔５ｄと円孔５ｅに通してロッド取付具４のナット４ｄに螺合する。
【００１５】
覆土ディスク２の高さの調整は、図４に示すように、ロッド取付具４の固定ボルト４ｂを緩め、覆土ディスク２が適切な高さとなるように支持ロッド３を上下方向に任意の位置まで動かし、その後固定ボルト４ｂを締めて固定する。
【００１６】
覆土ディスク２の前後位置の調整は、図５に示すように、フレーム取付具５の固定ボルト５ｂを緩め、覆土ディスク２が適切な位置となるようにフレーム取付具５を前後方向に任意の位置まで動かし、その後固定ボルト５ｂを締めて固定する。
【００１７】
覆土ディスク２の平面視における傾き角度の調整は、図６に示すように、ロッド取付具４の固定ボルト４ｂを緩め、覆土ディスク２が適切な向きとなるように支持ロッド３を軸として任意の角度まで回転させ、その後固定ボルト４ｂを締めて固定する。なお、図６において、下側が農作業機１の進行方向を示す。
【００１８】
覆土ディスク２の正面視における傾き角度の調整は、図７に示すように、角度調整ボルト５ｆと支点ボルト５ｇを緩め、支持ロッド３が適切な傾きとなるようにロッド取付具４を長孔５ｄに沿ってフレーム取付具５に対して任意の角度まで動かし、その後角度調整ボルト５ｆと支点ボルト５ｇを締めて固定する。
【００１９】
以上説明したように、本実施例によれば覆土ディスク２が４方向に調整可能となっているから、土質や湿度等の様々な諸条件に応じて適切な覆土量を調整できるようになり、より汎用性に優れた農作業機１となっている。
【産業上の利用可能性】
【００２０】
本発明の技術は、馬鈴薯・里芋・さつまいも・タマネギ・にんにく等の農作物の植付機に利用される。
【符号の説明】
【００２１】
１    農作業機
１ａ  取付フレーム
１ｂ  種芋ホッパー
１ｃ  種芋搬送コンベヤ
１ｄ  種芋供給管
１ｅ  作溝器
１ｆ  原動機
２    覆土ディスク
３    支持ロッド
４    ロッド取付具
４ａ  筒体
４ｂ  固定ボルト（止め具）
４ｃ  張出片
４ｄ  ナット
５    フレーム取付具
５ａ  筒体
５ｂ  固定ボルト（止め具）
５ｃ  支持板
５ｄ  長孔
５ｅ  円孔
５ｆ  角度調整ボルト
５ｇ  支点ボルト
【図１】
2014042486.tif 000003
【図２】
2014042486.tif 000004
【図３】
2014042486.tif 000005
【図４】
2014042486.tif 000006
【図５】
2014042486.tif 000007
【図６】
2014042486.tif 000008
【図７】
2014042486.tif 000009